(57)【要約】      （修正有）【課題】切り花の搬送を横倒しの状態において、搬送効率がよく、かつ新鮮さを維持して搬送することができる切り花用搬送装置を提供する。【解決手段】横倒しの状態において、切り花用搬送装置２を搬送箱３の中に収納し、厚紙や段ボール紙などを箱状に折り曲げ形成されて、切り花本体４に複数個の切口６，６，…を開設してあり、この茎の端部に水の保持材７などを添加し、薄いフィルム状の紙体に包装紙８を用いて収納する。【選択図】図３
0003114744.tif 000002
【実用新案登録請求の範囲】
【請求項１】
切り花を搬送するための横倒しの状態で搬送用装置であって、
厚紙や段ボール紙などを箱状に折り曲げて形成されている搬送体に、
横幅が三の一程の中央部に同様な紙製を箱状に折り曲げて形成されている切り花本体に、
両端側を低くした切り花本体の厚紙に複数個の切口を開設すると共に、
茎端部に水や鮮度保水材を添加して切り花を前記切口を介して挿通してなること特徴とする切り花の搬送用装置。
【請求項２】
横幅が三の一程の中央部に同様な紙製を折り曲げて形成されている切り花本体であること特徴とする切り花の搬送用装置。
【請求項３】
前記中央部に凹部のような凹凸部を形成されていること特徴とする切り花の搬送用装置。
【請求項４】
厚紙に複数個の横溝状の切溝口を開設してなることを特徴とする切り花の搬送用装置。
【請求項５】
前記切り花を薄いフィルム状の紙体に包装してなることを請求項１から４までを特徴とする切り花の搬送用装置。  
【考案の詳細な説明】
【技術分野】
【０００１】
本考案は、切り花の搬送、特に胡蝶蘭のような比較的切り花の茎が長尺なものを横倒しの状態において、搬送効率がよく、かつ新鮮さを維持して搬送することができる切り花用搬送装置に関するものである。
【背景技術】
【０００２】
切り花の搬送装置として各種形状のものが知られている。例えば、特開２００３−３３５３７２号には、切り花の搬送を積載効率よく、かつ新鮮度を維持して搬送する技術が開示されている。さらに、特開２００４−１６８３５１号には、縦形態での搬送を可能としつつ横状態としでも内部の水が漏れない構成とすることにより、切り花の搬送作業を容易とすることができる切り花用収納箱を提供している。
【０００３】
【特許文献１】特開２００３−３３５３７２号
【特許文献２】特開２００４−１６８３５１号
【考案の開示】
【考案が解決しようとする課題】
【０００４】
上述した特許文献１の技術にあっては、切り花の茎の切口が保水材に挿し込んで、切り花を横倒しの状態で搬送容器に収納して切り花を搬送するようにした切り花の搬送用装置が知られている。しかしながら、採花した茎が胡蝶蘭のように湾曲状に傾斜していると、無理にその形状に合わせると、商品価値が損なわれてしまうこと多くあった。同様に特許文献２でも同じことが云える。また、無理に傾斜状の茎を伸ばせば、切り花を損傷したり、切り花を痛めるなどすることが多くあり、実用的なものではなかった。
【０００５】
本考案は、上述した問題点を解決するためになされたもので、切り花の搬送、特に胡蝶蘭のような比較的切花の茎が長尺なものを横倒しの状態において、搬送効率がよく、かつ新鮮さを維持して搬送することができる切り花用搬送装置を提供することを目的としている。
【課題を解決するための手段】
【０００６】
上記目的を達成するために、第一の考案の要旨は、切り花を搬送するための横倒しの状態で搬送用装置であって、厚紙や段ボール紙などを箱状に折り曲げて形成されている搬送体に、横幅が三の一程の中央部に同様な紙製を箱状に折り曲げて形成されている切り花本体に、両端側を低くした切り花本体の厚紙に複数個の切口を開設すると共に、茎端部に水や鮮度保水材を添加して切り花を前記切口を介して挿通してなること特徴とするものである。
第二の考案の要旨は、横幅が三の一程の中央部に同様な紙製を折り曲げて形成されている切り花本体であること特徴とするものである。
さらに、第三の考案の要旨は、厚紙に複数個の横溝状の切溝口を開設しているものである。
【考案の効果】
【０００７】
本考案によれば、次のような効果を有する。
搬送する切り花、特に胡蝶蘭のような比較的切花の茎が長尺なものを横倒しの状態において、搬送効果が格段と向上できる。特に横倒し状態での搬送効率がよくなり、かつ新鮮さを維持できるために、搬送状態が優れることができる切り花用搬送装置である。
【０００８】
また、従来では、貯水用タンクや貯水用袋を折り畳自在や伸縮自在、膨縮自在に形成することによって、保管時などに折り畳んだり、縮めたりしなくてもい。
【０００９】
さらに、防水機材の外周面や貯水用容器の外周面に被係止部に係止するなどの方法によって、搬送装置に防水器材や貯水用容器を固定する必要がなくなり、切り花などを傷まないように保護して搬送できる利点がある。
【考案を実施するための最良の形態】
【００１０】
本考案の実施形態を図面に基づいて説明する。
図１〜図３は、本考案の実施形態を示している。本考案の切り花搬送用装置１は、図２に示すように横積厳禁の文字があるように横倒しの状態において、切り花２を搬送箱３の中に収納して搬送するものである。この搬送箱３は、横１０４０ｍｍ×幅３８０ｍｍ×高さ１８０ｍｍの寸法に形成させてあり、厚紙や段ボール紙などを箱状に折り曲げ形成されている。この寸法の搬送箱３に、横幅の中央部が１６０ｍｍからなり、両端部がそれぞれ２０ｍｍの狭く、各４４０ｍｍを有して幅３８０ｍｍの切り花本体４を収納してある。
【００１１】
そして、この切り花本体４の厚紙５に複数個の切口６，６，…を開設してあり、また、この茎の端部に水の保持材７や所定の鮮度保持材を添加してある。なお、切り花２は、図示省略してあるが、薄いフィルム状の紙体に包装紙８を用いて収納することができる。
【００１２】
このよう切り花搬送用装置１によれば、切り花２を搬送箱３に収納させて搬送できるものである。図３に示すように茎の保持材７を添加させて切り花２を搬送させながら切り花本体４に搬送されてある。なお、この搬送用装置１は、図２のように横積厳禁されている。
【００１３】
図４及び図５には、前記実施例を異なる例である。この例は、幅１０３０ｍｍ×幅３８０ｍｍ×高さ１８０ｍｍの寸法に形成させてあり、厚紙や段ボール紙などを箱状に折り曲げ形成されている。その両支持片１１，１１を介して起立部１１が設けてあり、この起立部１１が枕のよう作用するものである。また、起立部１１に、例えば凹凸状の凹凸片１２を形成するなどすることができる。
【００１４】
図６及び図７には、さらに異なる実施例を説明する。この例は、幅１０５ｍｍ×幅３８０ｍｍ×高さ１８０ｍｍの寸法に形成させてあり、厚紙や段ボール紙などを箱状に折り曲げ形成されている。そして、切り花を搬送するための横倒しの状態で搬送用装置であって、
厚紙に複数個の横溝状の切溝口１３，１３，…を開設しているものである。そして、この切り花２を薄いフィルム状の紙体に包装しているものである。  
【産業上の利用可能性】
【００１５】
本考案は、切り花の搬送、特に胡蝶蘭のような比較的切花の茎が長尺なものを横倒しの状態において、搬送効率がよく、かつ新鮮さを維持して搬送することができる切り花用搬送装置を提供することができる。
【図面の簡単な説明】
【００１６】
【図１】本考案の実施形態を示す第１例の切り花本体の斜視図。
【図２】同搬送箱の斜視図。
【図３】同使用状態の説明図。
【図４】第２例の切り花本体の斜視図。
【図５】同使用状態の説明図。
【図６】第３例の切り花本体の斜視図。
【図７】同使用状態の説明図。
【符号の説明】
【００１７】
１      切り花搬送用装置
２      切り花  
３      搬送箱
【図１】
0003114744.tif 000003
【図２】
0003114744.tif 000004
【図３】
0003114744.tif 000005
【図４】
0003114744.tif 000006
【図５】
0003114744.tif 000007
【図６】
0003114744.tif 000008
【図７】
0003114744.tif 000009
【手続補正書】
【提出日】平成17年3月22日(2005.3.22)
【手続補正１】
【補正対象書類名】実用新案登録請求の範囲
【補正対象項目名】請求項２
【補正方法】変更
【補正の内容】
【請求項２】
切り花本体の横幅が全体の三分の一程の中央部に同様な紙製を折り曲げて形成されていることを特徴とする切り花の搬送用装置。
【手続補正２】
【補正対象書類名】明細書
【補正対象項目名】０００６
【補正方法】変更
【補正の内容】
【０００６】
上記目的を達成するために、第一の考案の要旨は、切り花を搬送するための横倒しの状態で搬送用装置であって、厚紙や段ボール紙などを箱状に折り曲げて形成されている搬送体に、横幅が三の一程の中央部に同様な紙製を箱状に折り曲げて形成されている切り花本体に、両端側を低くした切り花本体の厚紙に複数個の切口を開設すると共に、茎端部に水や鮮度保水材を添加して切り花を前記切口を介して挿通してなること特徴とするものである。
第二の考案の要旨は、切り花本体の横幅が全体の三分の一程の中央部に同様な紙製を折り曲げて形成されていることを特徴とするものである。
さらに、第三の考案の要旨は、厚紙に複数個の横溝状の切溝口を開設しているものである。
【手続補正３】
【補正対象書類名】明細書
【補正対象項目名】００１３
【補正方法】変更
【補正の内容】
【００１３】
図４及び図５には、前記実施例と異なる例である。この例は、幅１０３０ｍｍ×３８０ｍｍ×高さ１８０ｍｍの寸法に形成させてあり、厚紙や段ボール紙などを箱状に折り曲げ形成されている。つまり、両支持片１１，１１を介して起立部１２が設けてあり、この起立部１２が枕のような作用をするものである。また、起立部１２に、例えば凹凸状の凹凸片１３を形成することができる。
【手続補正４】
【補正対象書類名】明細書
【補正対象項目名】００１６
【補正方法】変更
【補正の内容】
【００１６】
【図１】本考案の実施形態を示す第１例の切り花本体の斜視図。
【図２】同搬送箱の斜視図。
【図３】同使用状態の説明図。
【図４】第２例の切り花本体の斜視図。
【図５】同Ａ−Ａ断面状態の説明図。
【図６】第３例の切り花本体の斜視図。
【図７】同使用状態の説明図。
【手続補正５】
【補正対象書類名】図面
【補正対象項目名】図４
【補正方法】変更
【補正の内容】
【図４】
0003114744.tif 000010
【手続補正書】
【提出日】平成17年7月25日(2005.7.25)
【手続補正１】
【補正対象書類名】実用新案登録請求の範囲
【補正対象項目名】全文
【補正方法】変更
【補正の内容】
【実用新案登録請求の範囲】
【請求項１】
切り花を横倒しの状態で搬送するための搬送用装置であって、
厚紙や段ボール紙などを箱状に折り曲げて形成されている搬送箱と、
搬送箱内にあって切り花を収納するために同様な紙製を箱状に折り曲げて形成されている切り花収納本体とを備え、
その切り花収納本体に複数個の切口を開設し、茎端部に水や鮮度保水剤を添加した切り花を前記切口を介して挿通してなること特徴とする切り花の搬送用装置。
【請求項２】
切り花収納本体の長手方向両端側が低く形成されていることを特徴とする請求項１記載の切り花の搬送用装置。
【請求項３】
切り花収納本体が搬送箱の長手方向に対して長さ３分の１程の起立部を形成し、その起立部に凹凸状の凹凸片を形成していることを特徴とする請求項１又は２記載の切り花の搬送用装置。
【請求項４】
切り花収納本体に複数個の横溝状の切溝口を開設してなることを特徴とする請求項１，２又は３記載の切り花の搬送用装置。
【請求項５】
切り花を薄いフィルム状の紙体に包装してなることを特徴とする請求項１，２，３又は４記載の切り花の搬送用装置。  
【手続補正２】
【補正対象書類名】明細書
【補正対象項目名】全文
【補正方法】変更
【補正の内容】
【考案の詳細な説明】
【技術分野】
【０００１】
本考案は、切り花の搬送、特に胡蝶蘭のような比較的切り花の茎が長尺なものを横倒しの状態において、搬送効率がよく、かつ新鮮さを維持して搬送することができる切り花用搬送装置に関するものである。
【背景技術】
【０００２】
切り花の搬送装置として各種形状のものが知られている。例えば、特開２００３−３３５３７２号には、切り花の搬送を積載効率よく、かつ新鮮度を維持して搬送する技術が開示されている。さらに、特開２００４−１６８３５１号には、縦形態での搬送を可能としつつ横状態としでも内部の水が漏れない構成とすることにより、切り花の搬送作業を容易とすることができる切り花用収納箱を提供している。
【０００３】
【特許文献１】特開２００３−３３５３７２号
【特許文献２】特開２００４−１６８３５１号
【考案の開示】
【考案が解決しようとする課題】
【０００４】
上述した特許文献１の技術にあっては、切り花の茎の切口が保水材に挿し込んで、切り花を横倒しの状態で搬送容器に収納して切り花を搬送するようにした切り花の搬送用装置が知られている。しかしながら、採花した茎が胡蝶蘭のように湾曲状に傾斜していると、無理にその形状に合わせると、商品価値が損なわれてしまうこと多くあった。同様に特許文献２でも同じことが云える。また、無理に傾斜状の茎を伸ばせば、切り花を損傷したり、切り花を痛めるなどすることが多くあり、実用的なものではなかった。
【０００５】
本考案は、上述した問題点を解決するためになされたもので、切り花の搬送、特に胡蝶蘭のような比較的切花の茎が長尺なものを横倒しの状態において、搬送効率がよく、かつ新鮮さを維持して搬送することができる切り花用搬送装置を提供することを目的としている。
【課題を解決するための手段】
【０００６】
上記目的を達成するために、第１の考案は、切り花を横倒しの状態で搬送するための搬送用装置であって、厚紙や段ボール紙などを箱状に折り曲げて形成されている搬送箱と、搬送箱内にあって切り花を収納するために同様な紙製を箱状に折り曲げて形成されている切り花収納本体とを備え、その切り花収納本体に複数個の切口を開設し、茎端部に水や鮮度保水剤を添加した切り花を前記切口を介して挿通してなること特徴とするものである。
第２の考案の要旨は、切り花収納本体の長手方向両端側が低く形成されていることを特徴とするものである。
第３の考案の要旨は、切り花収納本体が搬送箱の長手方向に対して長さ３分の１程の起立部を形成し、その起立部に凹凸状の凹凸片を形成していることを特徴とするものである。
第４の考案の要旨は、切り花収納本体に複数個の横溝状の切溝口を開設してなることを特徴とするものである。
第５の考案の要旨は、切り花を薄いフィルム状の紙体に包装してなることを特徴とするものである。
【考案の効果】
【０００７】
本考案によれば、次のような効果を有する。
搬送する切り花、特に胡蝶蘭のような比較的切花の茎が長尺なものを横倒しの状態において、搬送効果が格段と向上できる。特に横倒し状態での搬送効率がよくなり、かつ新鮮さを維持できるために、搬送状態が優れることができる切り花用搬送装置である。
【０００８】
また、従来では、貯水用タンクや貯水用袋を折り畳自在や伸縮自在、膨縮自在に形成することによって、保管時などに折り畳んだり、縮めたりしなくてもい。
【０００９】
さらに、防水機材の外周面や貯水用容器の外周面に被係止部に係止するなどの方法によって、搬送装置に防水器材や貯水用容器を固定する必要がなくなり、切り花などを傷まないように保護して搬送できる利点がある。
【考案を実施するための最良の形態】
【００１０】
本考案の実施形態を図面に基づいて説明する。
図１〜図３は、本考案の実施形態を示している。本考案の切り花搬送用装置は、図２に示すように横積厳禁の文字があるように横倒しの状態において、切り花２を搬送箱１の中に収納して搬送するものである。この搬送箱１は、横１０４０ｍｍ×幅３８０ｍｍ×高さ１８０ｍｍの寸法に形成させてあり、厚紙や段ボール紙などを箱状に折り曲げ形成されている。この寸法の搬送箱１に、横幅（長手方向）の平坦な中央部が１６０ｍｍからなり、両端部（長手方向の両端部）が搬送箱１よりもそれぞれ２０ｍｍの狭く、長手方向の各傾斜面が４４０ｍｍを有して幅３８０ｍｍの切り花収納本体３を収納してある。
【００１１】
そして、この切り花収納本体３の厚紙５に複数個の切口６，６，…を開設してあり、また、この茎の端部に水の保持剤７や所定の鮮度保持剤を添加してある。なお、切り花２は、図示省略（図３，図５，図７を参照）してあるが、薄いフィルム状の紙体を包装紙１５として用いて収納することができる。
【００１２】
このような切り花搬送用装置によれば、切り花２を搬送箱１に収納させて搬送できるものである。図３に示すように茎の保持剤７を添加させて切り花２を搬送させながら切り花収納本体３に搬送されてある。なお、この搬送用装置は、図２のように横積厳禁されている。
【００１３】
図４及び図５には、前記実施例の異なる例である。この例は、搬送箱１ａを幅１０３０ｍｍ×幅３８０ｍｍ×高さ１８０ｍｍの寸法に形成させてあり、厚紙や段ボール紙などを箱状に折り曲げ形成されている。切り花収納本体の両支持片１１，１１を介して起立部１２が設けてあり、この起立部１２が枕のような作用をするものである。また、起立部１２に、例えば凹凸状の凹凸片１３を形成するなどすることができる。
【００１４】
図６及び図７には、さらに異なる実施例を説明する。この例は、搬送箱１ｂを幅１０５ｍｍ×幅３８０ｍｍ×高さ１８０ｍｍの寸法に形成させてあり、厚紙や段ボール紙などを箱状に折り曲げ形成されている。そして、切り花２を横倒しの状態で搬送するための切り花収納本体に複数個の横溝状の切溝口１４，１４，…を開設しているものである。そして、この切り花２を薄いフィルム状の紙体に包装しているものである。  
【産業上の利用可能性】
【００１５】
本考案は、切り花の搬送、特に胡蝶蘭のような比較的切花の茎が長尺なものを横倒しの状態において、搬送効率がよく、かつ新鮮さを維持して搬送することができる切り花用搬送装置を提供することができる。
【図面の簡単な説明】
【００１６】
【図１】本考案の実施形態を示す第１例の切り花収納本体の斜視図。
【図２】同搬送箱の斜視図。
【図３】同使用状態の説明図。
【図４】第２例の切り花収納本体の斜視図。
【図５】同使用状態の説明図。
【図６】第３例の切り花収納本体の斜視図。
【図７】同使用状態の説明図。
【符号の説明】
【００１７】
１      搬送箱
２      切り花
３      切り花収納本体